(57)【要約】      （修正有）【課題】長さ調整可能な筋肉電気刺激器を提供する。【解決手段】本体２０と制御モジュール３０と２つの延伸貼合片４０と２つのガイドレール基台とを備え、本体底部に少なくとも１つの本体電極部が設けられ、制御モジュールは、本体上に設けられ、本体の本体電極部と電気的に接続され、延伸貼合片は、本体の両側に設けられ、その底部に少なくとも１つの延伸電極部が設けられ、それらの延伸電極部は、制御モジュールと電気的に接続され、ガイドレール基台は、延伸貼合片内のスライドレールチャンバ中に設けられ、スライドレールチャンバが当該ガイドレール基台内に前後に変位し、これにより、スライドレールチャンバが当該ガイドレール基台内に相対して摺動する設計により、延伸貼合片を伸長させたり、または収縮させたりすることで、その使用エリアに応じて調整可能に構成され、かつ延伸貼合片によりその使用位置を調整する過程において、電気刺激と加熱動作が停止しないようにする。【選択図】図５
0003219547.tif 000002
【実用新案登録請求の範囲】
【請求項１】
本体頂部と、本体底部とを上下に結合して構成される本体と、前記本体上に設けられる制御モジュールと、それぞれ前記本体の二側辺上に設けられる２つの延伸貼合片と、それぞれ前記２つの延伸貼合片内のスライドレールチャンバ中に設けられる２つのガイドレール基台とを備える長さ調整可能な筋肉電気刺激器であって、
前記本体底部に少なくとも１つの本体電極部が設けられ、
前記制御モジュールは、当該本体電極部と電気的に接続されることにより、電力の開閉と電気刺激の電流大きさへの制御を提供し、
当該延伸貼合片は、貼合片頂部と貼合片底部とを上下に結合して構成され、前記貼合片底部に少なくとも１つの延伸電極部が設けられ、前記少なくとも１つの延伸電極部は、線路を介して前記制御モジュールと電気的に接続され、
かつ、前記２つのガイドレール基台上に、それぞれ当該スライドレールチャンバが当該ガイドレール基台内に相対して前後に摺動変位を行う時に回路を導通させる基台線路が設けられ、前記２つのガイドレール基台の前端に第１止め具が設けられ、前記複数の第１止め具と、前記本体の二側辺上の第２止め具とを相互に止合することで、前記２つの延伸貼合片が前記本体の二側辺上に固設され、これにより、前記２つのスライドレールチャンバが当該ガイドレール基台内に相対して前後に摺動変位する設計により、前記２つの延伸貼合片を外向きに伸長させたり、または内向きに収縮させたりすることができることから、異なる位置の筋肉群に合わせて使用されるように、その使用エリアに応じて伸縮調整可能に構成されることを特徴とする、長さ調整可能な筋肉電気刺激器。
【請求項２】
当該第１止め具が片状の雄止め部材であり、当該第２止め具が相応の雌止め部材であり、当該第２止め具は、挿通溝を有し、前記挿通溝内に第１止め具を係止可能な弾性部品が設けられ、前記弾性部品の前端に２つの係止フックを有し、当該第１止め具の前記２つの係止フックに対応する位置上に２つの係止溝が設けられ、当該第１止め具を当該第２止め具の前記挿通溝内に挿入する時、前記挿通溝内の前記弾性部品が丁度当該第１止め具の当該係止溝に係止され、当該第２止め具の頂面に解除ボタンが設けられ、前記解除ボタンは、前記弾性部品の後端に押し棒が設けられ、前記解除ボタンが押される都度、前記押し棒を前向きに変位させるように連動し、前記押し棒が前向きに変位すると、前記弾性部品の後端を押動することができることから、前記弾性部品を変形させてその前端の前記２つの係止フックを展開することによって、当該第１止め具が当該第２止め具の前記挿通溝から離脱されることを特徴とする、請求項１に記載の長さ調整可能な筋肉電気刺激器。
【請求項３】
前記２つのガイドレール基台の両側辺に、対称となるように間隔距離をあけて配列される複数個の係着孔が設けられ、前記２つの延伸貼合片の前端に係合部品が設けられ、前記係合部品は、前記係着孔の上方に弾性解除部材が設けられ、前記弾性解除部材の底部の両端に係止フックが設けられ、前記２つの係止フックが丁度前記複数個の係着孔上に係止されることで、前記２つのガイドレール基台を前記２つの延伸貼合片上に位置決めさせることにより、前記２つのスライドレールチャンバが当該ガイドレール基台内に相対して前後に摺動変位を行った後、前記弾性解除部材の当該係止フックにより係止され、前記２つの延伸貼合片上に位置決めされ、かつ前記係合部品は、前記弾性解除部材の上方に押しボタンが設けられることにより、前記押しボタンが押される都度、同時に前記弾性解除部材が押し付けられることで、前記弾性解除部材を変形させてその前記２つの係止フックを前記複数の係着孔上から離脱させることを特徴とする、請求項１に記載の長さ調整可能な筋肉電気刺激器。
【請求項４】
前記本体頂部上に複数個の折曲可能な弾性波形折れが設けられ、前記２つの延伸貼合片の頂部上に複数個の折曲可能な弾性波形折れが設けられることを特徴とする、請求項１に記載の長さ調整可能な筋肉電気刺激器。
【請求項５】
前記制御モジュールは、上蓋と制御回路と電池と下蓋とを有し、前記上蓋は前記下蓋上に覆合され、前記制御回路と前記電池が前記上蓋と前記下蓋との間の収容空間内に位置し、前記制御回路は電力の開閉と電気刺激の電流大きさへの制御を提供し、前記電池は前記制御回路に要する電力を提供することを特徴とする、請求項１に記載の長さ調整可能な筋肉電気刺激器。
【請求項６】
当該スライドレールチャンバは、上支持部材と下支持部材とを上下に組み合わせてなることを特徴とする、請求項１に記載の長さ調整可能な筋肉電気刺激器。
【請求項７】
前記２つのガイドレール基台の両側辺の複数個の係着孔は、等間隔距離をあけて配列されることを特徴とする、請求項３に記載の長さ調整可能な筋肉電気刺激器。
【請求項８】
前記本体底部の当該本体電極部及び前記２つの延伸貼合片の底部の当該延伸電極部は、電気刺激ユニットと加熱ユニットとを有することを特徴とする、請求項１に記載の長さ調整可能な筋肉電気刺激器。
【請求項９】
それぞれ当該本体電極部の表面上の当該延伸貼合片に近接する箇所に伝導線路が設けられ、前記伝導線路が当該第２止め具内に収容され、前記伝導線路は前記制御モジュールと電気的に接続されることを特徴とする、請求項１に記載の長さ調整可能な筋肉電気刺激器。
【請求項１０】
当該第１止め具及び当該第２止め具の止合時、前記伝導線路は、当該第１止め具の前記基台線路と電気的に接続され、このようにして、前記本体と当該延伸貼合片との電気的接続が形成されることを特徴とする、請求項１に記載の長さ調整可能な筋肉電気刺激器。
【考案の詳細な説明】
【技術分野】
【０００１】
本考案は、長さ調整可能な筋肉電気刺激器に係り、特に、異なる位置の筋肉群に合わせて使用されるように、複数箇所の筋力、筋持久力及び加熱トレーニングを提供できる長さ調整可能な筋肉電気刺激器に関するものである。
【背景技術】
【０００２】
経皮的神経電気刺激（ＴＥＮＳ，Ｔｒａｎｓｃｕｔａｎｅｏｕｓ  Ｅｌｅｃｔｒｉｃ  Ｎｅｒｖｅ  Ｓｔｉｍｕｌａｔｉｏｎ）や電気筋肉刺激装置（ＥＭＳ，Ｅｌｅｃｔｒｉｃａｌ  Ｍｕｓｃｌｅ  Ｓｔｉｍｕｌａｔｉｏｎ）は、電流刺激を利用して大脳や神経段階を飛ばして直接に筋肉に対して指令を出してそれを収縮させることによって、筋力を鍛えることができ、また、携帯型電気刺激器を持ち歩く際、いつでも取り出せて筋力トレーニング、筋持久力トレーニング、爆発力トレーニング及び加熱トレーニングを行う目的を達成する装置とすることができる。
【０００３】
従来、一般的従来の携帯型筋肉電気刺激器は、図１を参照して示すと、それは主に、片式構造の筋肉電気刺激貼合片１０が開示され、前記筋肉電気刺激貼合片１０は、本体１１を有し、前記本体１１に２つの電極貼合片部１２，１３が設けられ、前記電極貼合片部１２，１３は、それぞれ電極貼合片１２１，１２２及び１３１，１３２を含み、また、前記電極貼合片１２１，１２２及び１３１，１３２に、それぞれ電極端１２３，１２４，１３３及び１３４が設けられ、前記電極貼合片１２１，１２２は、前記本体１１の両側に分設され、前記電極貼合片１３１，１３２は、前記本体１１の中央部位（上下両端位置）に分設され、前記電極貼合片部１２，１３は、それぞれ制御器１５の電源ケーブル組１４と電気的に接続され、例えば、前記電極端１２３，１２４は、それぞれ前記電源ケーブル組１４の正、負極電源ケーブル１４１，１４２と電気的に接続され、また、前記電極端１３３，１３４も、前記電源ケーブル組１４の別組の正、負極電源ケーブル（番号付けなし）と電気的に接続され、これによって、前記筋肉電気刺激貼合片１０を筋力トレーニング及び筋持久力トレーニングを行うための筋肉電気刺激器の電気貼合片装置とすることができ、各種の肩部の筋力トレーニング及び筋持久力トレーニングに使用する。
【０００４】
しかしながら、前記従来の片式構造の携帯型筋肉電気刺激器は、筋力及び筋持久力トレーニングを行う目的を達成することができるが、それは依然として不具合が存在し、即ち、前記筋肉電気刺激貼合片１０は、固定単片式であり、各々の使用者は、その筋肉の幅が変わることに伴って、その筋肉群の位置も変化するため、同じ使用者でも、その各回のトレーニングの位置がまったく同じとは言えず、このようにして、トレーニングの位置を自在に変えることができず、使用に際しては非常に不便であった。
【０００５】
これらのことから分かるように、上記の常用物品は、依然として多くの不具合がもたらされ、実に完善な設計とは言えないもので、改良を極力試みるべきである。
【考案の概要】
【考案が解決しようとする課題】
【０００６】
これに鑑み、本案の考案者は、長年に亘って従事してきた関連製品の製造開発と設計経験に基づき、上記の目標について緻密に設計すると共に、慎重に検討した結果、遂に確かな実用性を持つ本考案が案出された。
【０００７】
本考案の目的は、異なる位置の筋肉群に合わせて使用されるように、その使用エリアに応じて伸縮調整可能に構成される長さ調整可能な筋肉電気刺激器を提供することである。
【０００８】
本考案の別の目的は、前記２つの延伸貼合片によりその使用位置を伸縮調整する過程において、電気刺激と加熱動作が停止しないようにできる長さ調整可能な筋肉電気刺激器を提供することである。
【課題を解決するための手段】
【０００９】
上記の目的によれば、本考案の長さ調整可能な筋肉電気刺激器は、主に、本体と制御モジュールと２つの延伸貼合片と２つのガイドレール基台とを備え、その中、前記本体底部に少なくとも１つの本体電極部が設けられ、前記制御モジュールは前記本体上に設けられ、それが前記本体の本体電極部と電気的に接続されることにより、電力の開閉と電気刺激の電流大きさへの制御を提供し、前記２つの延伸貼合片は、それぞれ前記本体の二側辺上に設けられ、その底部に少なくとも１つの延伸電極部が設けられ、それらの延伸電極部は、前記制御モジュールと電気的に接続され、前記２つのガイドレール基台は、それぞれ前記２つの延伸貼合片内のスライドレールチャンバ中に設けられ、かつ前記２つのガイドレール基台上にそれぞれ基台線路が設けられ、かつ当該スライドレールチャンバが当該ガイドレール基台内に相対して前後に摺動変位を行い、前記２つのガイドレール基台の前端に第１止め具が設けられ、それらの第１止め具と、前記本体の二側辺上の第２止め具とを相互に止合することで、前記２つの延伸貼合片が前記本体の二側辺上に固設され、これにより、前記２つのスライドレールチャンバが当該ガイドレール基台内に相対して前後に摺動変位する設計により、前記２つの延伸貼合片を外向きに伸長させたり、または内向きに収縮させたりすることができることから、異なる位置の筋肉群に合わせて使用されるように、その使用エリアに応じて伸縮調整可能に構成される。
【００１０】
前述した構成において、前記本体は、本体頂部と本体底部とを上下に結合して構成される。
【００１１】
前述した構成において、当該延伸貼合片は、貼合片頂部と貼合片底部とを上下に結合して構成される。
【００１２】
前述した構成において、当該第１止め具が片状の雄止め部材であり、また、当該第２止め具が相応の雌止め部材であり、当該第２止め具は、挿通溝を有し、前記挿通溝内に第１止め具を係止可能な弾性部品が設けられ、前記弾性部品の前端に２つの係止フックを有し、また、当該第１止め具の２つの係止フックに対応する位置上に２つの係止溝が設けられることにより、当該第１止め具を当該第２止め具の挿通溝内に挿入する時、前記挿通溝内の弾性部品が丁度第１止め具の係止溝に係止される。
【００１３】
前述した構成において、当該第２止め具の頂面に解除ボタンが設けられ、前記解除ボタンは、前記弾性部品の後端に押し棒が設けられ、前記解除ボタンが押される都度、前記押し棒を前向きに変位させるように連動することができ、前記押し棒が前向きに変位すると、前記弾性部品の後端を押動することができることから、前記弾性部品を変形させてその前端の２つの係止フックを展開することによって、当該第１止め具が当該第２止め具の挿通溝から離脱される。
【００１４】
前述した構成において、前記２つのガイドレール基台の両側辺に、対称となるように間隔距離をあけて配列される複数個の係着孔が設けられ、また、前記２つの延伸貼合片の前端に係合部品が設けられ、前記係合部品は、前記係着孔の上方に弾性解除部材が設けられ、前記弾性解除部材の底部の両端に係止フックが設けられ、前記２つの係止フックが丁度それらの係着孔上に係止されることで、前記２つのガイドレール基台を前記２つの延伸貼合片上に位置決めさせることにより、前記２つのスライドレールチャンバが当該ガイドレール基台内に相対して前後に摺動変位を行った後、前記弾性解除部材の係止フックにより係止され、また、前記２つの延伸貼合片上に位置決めされる。
【００１５】
前述した構成において、前記係合部品は、前記弾性解除部材の上方に押しボタンが設けられることにより、前記押しボタンが押される都度、同時に前記弾性解除部材が押し付けられることで、前記弾性解除部材を変形させてその２つの係止フックをそれらの係着孔上から離脱させる。
【００１６】
前述した構成において、前記本体頂部上に複数個の折曲可能な弾性波形折れが設けられる。
【００１７】
前述した構成において、前記２つの延伸貼合片の頂部上に複数個の折曲可能な弾性波形折れが設けられる。
【００１８】
前述した構成において、前記制御モジュールは、上蓋と制御回路と電池と下蓋とを有し、前記上蓋は前記下蓋上に覆合され、前記制御回路と前記電池が前記上蓋と前記下蓋との間の収容空間内に位置し、前記制御回路は、電力の開閉と電気刺激の電流大きさへの制御を提供し、また、前記電池は、前記制御回路に要する電力を提供する。
【００１９】
前述した構成において、当該スライドレールチャンバは、上支持部材と下支持部材とを上下に組み合わせてなる。
【００２０】
前述した構成において、前記２つのガイドレール基台の両側辺に対称となる複数個の係着孔は、等間隔距離をあけて配列される。
【００２１】
前述した構成において、前記本体底部の本体電極部及び前記２つの延伸貼合片の底部の延伸電極部は、電気刺激ユニットと加熱ユニットとを有する。
【００２２】
前述した構成において、それぞれ当該本体電極部の表面上の延伸貼合片に近接する箇所に伝導線路が設けられ、前記伝導線路が第２止め具内に収容され、前記伝導線路は、制御モジュールと電気的に接続される。
【００２３】
前述した構成には、当該第１止め具及び第２止め具の止合時、その中、前記伝導線路は、当該第１止め具の基台線路と電気的に接続され、このようにして、本体と延伸貼合片との電気的接続が形成される。
【００２４】
本考案の目的、形状、構造、装置の特徴及びその作用効果について、さらなる認識と理解を図るため、実施例を挙げて図面を参照しながら以下に詳述する。
【図面の簡単な説明】
【００２５】
【図１】従来の筋肉電気刺激器の外観概略図である。
【図２】本考案の長さ調整可能な筋肉電気刺激器の外観概略図である。
【図３】本考案の長さ調整可能な筋肉電気刺激器の分解概略図である。
【図４】図３の一部を拡大した概略図である。
【図５】本考案の延伸貼合片と本体とを相互に止合した概略図である。
【図６】本考案の第１止め具と第２止め具を拡大した概略図である。
【図７】本考案の第１止め具と第２止め具の分解概略図である。
【図８ａ】本考案のガイドレール基台を固定する連続動作を示す断面図である。
【図８ｂ】本考案のガイドレール基台を固定する連続動作を示す断面図である。
【図９】本考案の長さ調整可能な筋肉電気刺激器の伸縮状態を示す図である。
【考案を実施するための形態】
【００２６】
本考案は、「長さ調整可能な筋肉電気刺激器」に関し、図２〜図４を参照して示すと、本考案の長さ調整可能な筋肉電気刺激器は、主に、本体２０と制御モジュール３０と２つの延伸貼合片４０と２つのガイドレール基台５０とを備える。
【００２７】
その中、前記本体２０は、本体頂部と本体底部とを上下に結合して構成され、前記本体底部に少なくとも１つの本体電極部２１が設けられ、当該本体電極部２１は、電気刺激ユニットと加熱ユニット（図示せず）とを有し、人体の腹部の皮膚に互いに貼合されるために供され、筋肉電気刺激を与える筋力トレーニング、筋持久力トレーニング及び加熱トレーニングを提供でき、当該本体電極部２１は、ＰＥＴ材質（但し、これに限定するものではない）と導電材質とを結合してなる。
【００２８】
前記制御モジュール３０は、前記本体２０上に設けられ、前記制御モジュール３０は、前記本体２０の本体電極部２１と電気的に接続されることにより、前記制御モジュール３０から筋肉電気刺激を提供し、加熱用電力を前記本体２０の本体電極部２１に付与し、また、腹部に筋肉電気刺激を与える筋力、筋持久力及び加熱トレーニングを提供できる。
【００２９】
前記２つの延伸貼合片４０は、それぞれ前記本体２０の二側辺上に設けられ、当該延伸貼合片４０は、貼合片頂部と、貼合片底部とを上下に結合して構成され、前記貼合片底部に少なくとも１つの延伸電極部４１が設けられ、当該延伸電極部４１は、電気刺激ユニットと加熱ユニット（図示せず）とを有し、それらの延伸電極部４１は、前記制御モジュール３０と電気的に接続されることにより、前記制御モジュール３０から筋肉電気刺激を提供し、加熱用電力を前記２つの延伸貼合片４０の延伸電極部４１に付与し、前記２つの延伸貼合片４０の延伸電極部４１は、人体の腰部や背部の皮膚に互いに貼合されるために供され、また、前記制御モジュール３０から提供される電力により、腰部や背部の筋肉に電気刺激を与える筋力、筋持久力及び加熱トレーニングを行い、かつ当該延伸電極部４１も、加熱ユニット（図示せず）を有し、加熱トレーニングの機能を提供でき、当該延伸電極部４１は、ＰＥＴ材質（但し、これに限定するものではない）と導電材質とを結合してなる。
【００３０】
前記２つのガイドレール基台５０は、それぞれ前記２つの延伸貼合片４０内のスライドレールチャンバ４３中に設けられ、かつ前記２つのガイドレール基台５０上に、それぞれ基台線路５０１が設けられ、かつ前記基台線路５０１は片状であり、また、当該スライドレールチャンバ４３が前記２つのガイドレール基台５０内に相対して前後に摺動変位を行い、摺動変位時、それらの延伸電極部４１が断電しないように保持されてこの基台線路５０１に接触し、作動を停止させないようにでき、なお、前記２つのガイドレール基台５０の前端に第１止め具５１が設けられ、それらの第１止め具５１と、前記本体２０の二側辺上の第２止め具２２とを相互に止合することで、前記２つの延伸貼合片４０が前記本体２０の二側辺上に固設され（図５及び図６参照）、その中、当該第１止め具５１と第２止め具２２との間に導通線路（図示せず）を有してそれらを相互に止合する時、当該第１止め具５１は、当該第２止め具２２と電気的に接続され、かつ当該第１止め具５１は、前記基台線路５０１と電気的に接続され、また、当該第２止め具２２は、前記制御モジュール３０と電気的に接続される。
【００３１】
上記構成部材の組み立てによれば、再び図３、図４及び図９を参照して示すと、当該スライドレールチャンバ４３が前記２つのガイドレール基台５０内に相対して前後に摺動変位する設計により、前記２つの延伸貼合片４０を外向きに伸長させたり、または内向きに収縮させたりすることができることから（図９参照）、異なる位置の腰部や背部の筋肉群に合わせて使用されるように、その使用エリアに応じて伸縮調整可能に構成される。
【００３２】
再び図３〜図７を参照して示すと、当該第１止め具５１が片状の雄止め部材であり、また、当該第２止め具２２が相応の雌止め部材であり、当該第２止め具２２は、挿通溝２２１を有し、前記挿通溝２２１内に第１止め具５１を係止可能な弾性部品２２２が設けられ、前記弾性部品２２２の前端に２つの係止フック２２２１を有し、また、当該第１止め具５１の２つの係止フック２２２１に対応する位置上に２つの係止溝５２が設けられ、当該第１止め具５１を当該第２止め具２２の挿通溝２２１内に挿入する時、前記挿通溝２２１内の弾性部品２２２が丁度第１止め具５１の係止溝５２に係止される。
【００３３】
再び図３を参照して示すと、その中、当該本体電極部２１の表面上の延伸貼合片４０に近接する箇所にそれぞれ伝導線路２１１が設けられ、前記伝導線路２１１が第２止め具２２内に収容され、前記伝導線路２１１は、制御モジュール３０と電気的に接続され、かつ当該第１止め具５１及び第２止め具２２の止合時、その中、前記伝導線路２１１は、当該第１止め具５１の基台線路５０１と電気的に接続され、このようにして、本体２０と延伸貼合片４０との電気的接続が形成される。
【００３４】
続いて、図３〜図７を参照して示すと、当該第２止め具２２の頂面に解除ボタン２２３が設けられ、前記解除ボタン２２３は、前記弾性部品２２２の後端に押し棒２２３１が設けられ、前記解除ボタン２２３が押される都度、前記押し棒２２３１を前向きに変位させるように連動することができ、前記押し棒２２３１が前向きに変位すると、前記弾性部品２２２の後端を押動することができることから、前記弾性部品２２２を変形させてその前端の２つの係止フック２２２１を展開し（図６参照）、このようにして、当該第１止め具５１が当該第２止め具２２の挿通溝２２１から離脱される。
【００３５】
再び図３、図４、図８ａと図８ｂ及び図９を参照して示すと、前記２つのガイドレール基台５０の両側辺に、対称となるように間隔距離をあけて配列される複数個の係着孔５３（本実施例では等間隔距離をあけて配列される）が設けられ、また、前記２つの延伸貼合片４０の前端に係合部品４４が設けられ、前記係合部品４４は、前記係着孔５３の上方に弾性解除部材４４１が設けられ、前記弾性解除部材４４１の底部の両端に係止フック４４１１が設けられ、前記２つの係止フック４４１１が丁度それらの係着孔５３上に係止されることで、前記２つのガイドレール基台５０を前記２つの延伸貼合片４０上に位置決めさせることにより、当該スライドレールチャンバ４３が前記２つのガイドレール基台５０内に相対して前後に摺動変位を行った後、前記弾性解除部材４４１の係止フック４４１１により係止され、また、前記２つの延伸貼合片４０上に位置決めされる。
【００３６】
続いて、図３、図４、図８ａと図８ｂ及び図９を参照して示すと、前記係合部品４４は、前記弾性解除部材４４１の上方に押しボタン４４２が設けられることにより、前記押しボタン４４２が押される都度、同時に前記弾性解除部材４４１が押し付けられることで、前記弾性解除部材４４１を変形させてその２つの係止フック４４１１をそれらの係着孔５３上から離脱させ、このようにして、前記押しボタン４４２が押されると、当該スライドレールチャンバ４３の前記２つのガイドレール基台５０に相対して前後に摺動変位する位置を調整できることから、前記２つの延伸貼合片４０を外向きに伸長させたり、または内向きに収縮させたりする位置を調整することができる。
【００３７】
続いて、図２及び図３を参照して示すと、前記本体２０の表面上に複数個の折曲可能な弾性波形折れ２３が設けられ、前記折曲可能な弾性波形折れ２３により本体２０を皮膚によりフィットさせることができる。
【００３８】
続いて、図２及び図３を参照して示すと、前記制御モジュール３０は、上蓋３２と、制御回路３３と、電池３４と、下蓋３５とを有し、前記上蓋３２は前記下蓋３５上に覆合され、前記制御回路３３と前記電池３４が前記上蓋３２と前記下蓋３５との間の収容空間内に位置し、また、前記制御回路３３は、電力の開閉と電気刺激の電流大きさへの制御を提供し、また、前記電池３４は、前記制御回路３３に要する電力を提供する。
【００３９】
続いて、図２及び図３を参照して示すと、当該スライドレールチャンバ４３は、上支持部材４３１と、下支持部材４３２とを上下に組み合わせてなる。
【００４０】
ただ、以上に開示された実施例は、単に本考案を説明するためのものにすぎず、本考案を制限するものではないため、同等効果を有する構成要素の置き換えは、本考案の範疇に属するものと解釈されるべきである。
【００４１】
以上のように、本考案は前述した目的を確実に達成でき、当前記技術を熟知する者に明確に理解され、実用新案登録の出願要件を満たしているため、法に基づき出願する次第である。
【符号の説明】
【００４２】
２０：本体
２１：本体電極部
２１１：伝導線路
２２：第２止め具
２２１：挿通溝
２２２：弾性部品
２２２１：係止フック
２２３：解除ボタン
２２３１：押し棒
２３：弾性波形折れ
３０：制御モジュール
３２：上蓋
３３：制御回路
３４：電池
３５：下蓋
４０：延伸貼合片
４１：延伸電極部
４３：スライドレールチャンバ
４３１：上支持部材
４３２：下支持部材
４４：係合部品
４４１：弾性解除部材
４４１１：係止フック
４４２：押しボタン
４５：弾性波形折れ
５０：ガイドレール基台
５０１：基台線路
５１：第１止め具
５２：係止溝
５３：係着孔
【図１】
0003219547.tif 000003
【図２】
0003219547.tif 000004
【図３】
0003219547.tif 000005
【図４】
0003219547.tif 000006
【図５】
0003219547.tif 000007
【図６】
0003219547.tif 000008
【図７】
0003219547.tif 000009
【図８ａ】
0003219547.tif 000010
【図８ｂ】
0003219547.tif 000011
【図９】
0003219547.tif 000012
【手続補正書】
【提出日】平成30年10月30日(2018.10.30)
【手続補正１】
【補正対象書類名】実用新案登録請求の範囲
【補正対象項目名】全文
【補正方法】変更
【補正の内容】
【実用新案登録請求の範囲】
【請求項１】
本体頂部と、本体底部とを上下に結合して構成される本体と、前記本体上に設けられる制御モジュールと、それぞれ前記本体の二側辺上に設けられる２つの延伸貼合片と、それぞれ前記２つの延伸貼合片内のスライドレールチャンバ中に設けられる２つのガイドレール基台とを備える長さ調整可能な筋肉電気刺激器であって、
前記本体底部に少なくとも１つの本体電極部が設けられ、
前記制御モジュールは、当該本体電極部と電気的に接続されることにより、電力の開閉と電気刺激の電流大きさへの制御を提供し、
当該延伸貼合片は、貼合片頂部と貼合片底部とを上下に結合して構成され、前記貼合片底部に少なくとも１つの延伸電極部が設けられ、前記少なくとも１つの延伸電極部は、線路を介して前記制御モジュールと電気的に接続され、
かつ、前記２つのガイドレール基台上に、それぞれ当該スライドレールチャンバが当該ガイドレール基台内に相対して前後に摺動変位を行う時に回路を導通させる基台線路が設けられ、前記２つのガイドレール基台の前端に第１止め具が設けられ、前記複数の第１止め具と、前記本体の二側辺上の第２止め具とを相互に止合することで、前記２つの延伸貼合片が前記本体の二側辺上に固設され、これにより、前記２つのスライドレールチャンバが当該ガイドレール基台内に相対して前後に摺動変位する設計により、前記２つの延伸貼合片を外向きに伸長させたり、または内向きに収縮させたりすることができることから、異なる位置の筋肉群に合わせて使用されるように、その使用エリアに応じて伸縮調整可能に構成されることを特徴とする、長さ調整可能な筋肉電気刺激器。
【請求項２】
当該第１止め具が片状の雄止め部材であり、当該第２止め具が相応の雌止め部材であり、当該第２止め具は、挿通溝を有し、前記挿通溝内に第１止め具を係止可能な弾性部品が設けられ、前記弾性部品の前端に２つの係止フックを有し、当該第１止め具の前記２つの係止フックに対応する位置上に２つの係止溝が設けられ、当該第１止め具を当該第２止め具の前記挿通溝内に挿入する時、前記挿通溝内の前記弾性部品が丁度当該第１止め具の当該係止溝に係止され、当該第２止め具の頂面に解除ボタンが設けられ、前記解除ボタンは、前記弾性部品の後端に押し棒が設けられ、前記解除ボタンが押される都度、前記押し棒を前向きに変位させるように連動し、前記押し棒が前向きに変位すると、前記弾性部品の後端を押動することができることから、前記弾性部品を変形させてその前端の前記２つの係止フックを展開することによって、当該第１止め具が当該第２止め具の前記挿通溝から離脱されることを特徴とする、請求項１に記載の長さ調整可能な筋肉電気刺激器。
【請求項３】
前記２つのガイドレール基台の両側辺に、対称となるように間隔距離をあけて配列される複数個の係着孔が設けられ、前記２つの延伸貼合片の前端に係合部品が設けられ、前記係合部品は、前記係着孔の上方に弾性解除部材が設けられ、前記弾性解除部材の底部の両端に係止フックが設けられ、前記２つの係止フックが丁度前記複数個の係着孔上に係止されることで、前記２つのガイドレール基台を前記２つの延伸貼合片上に位置決めさせることにより、前記２つのスライドレールチャンバが当該ガイドレール基台内に相対して前後に摺動変位を行った後、前記弾性解除部材の当該係止フックにより係止され、前記２つの延伸貼合片上に位置決めされ、かつ前記係合部品は、前記弾性解除部材の上方に押しボタンが設けられることにより、前記押しボタンが押される都度、同時に前記弾性解除部材が押し付けられることで、前記弾性解除部材を変形させてその前記２つの係止フックを前記複数の係着孔上から離脱させることを特徴とする、請求項１に記載の長さ調整可能な筋肉電気刺激器。
【請求項４】
前記本体頂部上に複数個の折曲可能な弾性波形折れが設けられ、前記２つの延伸貼合片の頂部上に複数個の折曲可能な弾性波形折れが設けられることを特徴とする、請求項１に記載の長さ調整可能な筋肉電気刺激器。
【請求項５】
前記制御モジュールは、上蓋と制御回路と電池と下蓋とを有し、前記上蓋は前記下蓋上に覆合され、前記制御回路と前記電池が前記上蓋と前記下蓋との間の収容空間内に位置し、前記制御回路は電力の開閉と電気刺激の電流大きさへの制御を提供し、前記電池は前記制御回路に要する電力を提供することを特徴とする、請求項１に記載の長さ調整可能な筋肉電気刺激器。
【請求項６】
当該スライドレールチャンバは、上支持部材と下支持部材とを上下に組み合わせてなることを特徴とする、請求項１に記載の長さ調整可能な筋肉電気刺激器。
【請求項７】
前記２つのガイドレール基台の両側辺の複数個の係着孔は、等間隔距離をあけて配列されることを特徴とする、請求項３に記載の長さ調整可能な筋肉電気刺激器。
【請求項８】
前記本体底部の当該本体電極部及び前記２つの延伸貼合片の底部の当該延伸電極部は、電気刺激ユニットと加熱ユニットとを有することを特徴とする、請求項１に記載の長さ調整可能な筋肉電気刺激器。
【請求項９】
それぞれ当該本体電極部の表面上の当該延伸貼合片に近接する箇所に伝導線路が設けられ、前記伝導線路が当該第２止め具内に収容され、前記伝導線路は前記制御モジュールと電気的に接続されることを特徴とする、請求項１に記載の長さ調整可能な筋肉電気刺激器。
【請求項１０】
当該第１止め具及び当該第２止め具の止合時、前記伝導線路は、当該第１止め具の前記基台線路と電気的に接続され、このようにして、前記本体と当該延伸貼合片との電気的接続が形成されることを特徴とする、請求項９に記載の長さ調整可能な筋肉電気刺激器。